(57)【特許請求の範囲】
【請求項１】
どんな釣竿にも脱着可能で、釣糸を巻き取るためのハンドル及び、外部に電動モーター駆動部分が内臓された制御ＢＯＸを置き、スピニングリールとの接続には簡単に脱着出来る制御コードを使用し、釣糸の巻き取りがハンドル単独使用及び電動モーター単独使用又はハンドルと電動モーターを併用出来又、釣竿を持っている側の手の指でいつでもアームローラに掛っている釣糸を引っ掛ける事が出来る様に、釣竿側でアームローラが上下移動をし、アームの反転についてはアーム反転レバーを取扱うか又、反対側の手で今迄どおり反転する事が出来、釣糸の巻き取りは釣糸の放出後アームを手で反転させ、ハンドル等を回転する事によりスプールが回転し釣糸の巻き取りが出来る事を特徴とするスピニングリール。
【請求項２】
前記リールは、ハンドル又は電動モーター使用時ワンウェイクラッチを使用し傘歯車を作動させクロスギア等を連動させ事を特徴とする請求項１に記載のスピニングリール。
【請求項３】
前記リールは電動モーターの入・切スイッチを釣竿側に取り付ける事を特徴とする請求項１又は請求項２に記載のスピニングリール。
【請求項４】
前記リールは釣竿を持っている手で、釣糸の出し入れ操作が出来る事を特徴とする請求項１〜請求項３のいずれか１項に記載のスピンニングリール。
【発明の詳細な説明】
【技術分野】
【０００１】  本発明はどんな釣竿においても取り付け可能で、電動モーターでの巻き取りも出来き、又、片手での釣糸の出し入れも出来るスピニングリールに関するものである。
【背景技術】
【０００２】  釣竿によって取替の出来るスピニングリールは、釣糸の巻き取りがハンドルのみでは多投・遠投する場合等、釣糸の巻き取りが年配者には体力的にきつく、又片手で釣竿を持つのでハンドルの使用が片手が不自由な人は使用できない。【０００３】  釣竿によって取替の出来るスピニングリールは、ハンドル等を停止した時アームローラーの位置が釣竿側に一定に停止しないので、釣竿を持つ指で釣糸を指に引っ掛ける事が出来ず片手の不自由な人は使用できない。
【先行技術文献】
【特許文献】
【０００４】
【特許文献１】  特開平２−１９０１３３号公報
【特許文献２】  特開２００４−２２２６６１号公報
【特許文献３】  特開平１１−１６９０３５号公報
【特許文献４】  特開２０１０−１３６７１８号公報
【特許文献５】  実開昭６２−１８１１６７号公報
【特許文献６】  実開昭６３−１９９５７１号公報
【特許文献７】  実開昭６３−１９９５７２号公報
【特許文献８】  実開平２−９７４号公報
【特許文献９】  実開平２−９７５号公報
【実願文献１０】
実開平３−４８４６６号公報
【発明が解決しようとする課題】
【０００５】  魚を釣るには釣魚に合わせた色々な釣竿が必要であり、その釣竿に取り付けるスピニングリールは何回も使用すると手や腕が疲れてくる、又そのスピニングリールは釣竿を持つ片手だけでは取扱いが出来ない欠点があり、前述の欠点を解決しようとするものである。
【課題を解決するための手段】
【０００６】  本発明は釣竿にセットするスピニングリールの巻き取り用のハンドルに併用した電動モーターを内蔵した制御ＢＯＸを外部に置き、スピニングリールの接続には制御コードを使用し、ハンドル単独使用、電動モーター単独使用、ハンドル・電動モーター同時併用使用できる方法とし、外部に電動モーターを置く事により、取り扱う当該スピニングリールを軽量化する事とした、又片手で使用出来る様にハンドル等使用時にアームローラーがどんな状態でも釣竿側に位置する様に、スプールを回転させ、アームを上下さす事で、アームローラに掛っている釣糸を釣竿を持っている側の手の指で何時でも引っ掛ける事が出来、アームレバーを取扱うか、又釣竿を持っていない側の手の指によりアームを反転さす事が出来、釣糸を放出さす事が出来る使用にしたものである。
【発明の効果】
【０００７】  釣魚に合わせた色々な釣竿に本発明のスピニングリールの取り付けが可能で、釣糸の巻き取りもハンドルと電動モーターと併用使用が出来、釣糸の巻き取りも楽にでき、又、釣竿を持っている側の手の指で、何時でもアームローラに掛っている釣糸を引っ掛ける事が出来、そして、アーム反転レバーを引くか又反対の手で、アームを反転さす事が出来、釣糸を放出する事が出来る、又、釣糸の巻き取りについては、手前にあるアームを手の指で押して反転させ、ハンドルを回転するか、電動モーターの作動スイッチを押さえて外部に置いてある電動モーターを作動させ、制御ケーブルの中にある回転リード線を回転させる事により、スピニングリールに釣糸を巻き取る事が出来、又電動モーターを外部に置く事により、釣竿・スピニングリールをセットした状態の軽量化を計り、又片手が不自由な人にでも利用出来るものである。
【図面の簡単な説明】
【０００８】
【図１】本発明の斜向図
【図２】本発明、電動モーター使用時の斜向図
【図３】本発明、アームローラ上下移動使用時の斜向図
【図４】本発明のスピニングリールを釣竿側から見た上面図
【図５】本発明のスピニングリールを釣竿側から見た電動モーター使用時の斜向図
【図６】本発明のスピニングリール釣竿側から見たアームローラ上下移動使用時の斜向図
【図７】本発明、電動モーター使用スピニングリールのハンドル部分での縦の断面図と右側の図は右側面図
【図８】本発明、スピニングリールの釣竿取付時、アームローラ上下移動使用時の下側の状態の右側面図
【図９】本発明、スピニングリールの釣竿取付時、アームローラ上下移動使用時の上側の状態の右側面図
【図１０】本発明、スピニングリールの釣竿先端部から見たアームローラ上下移動使用時の上面図
【図１１】本発明、スピニングリールのアームローラ上下移動時のスプール部分断面図
【図１２】本発明、スピニングリールのアームローラ上下移動時のアーム受の内部構造（図６参照Ａ）
【図１３】本発明、スピニングリールのアームローラ上下移動時のアーム受の内部構造（図６参照Ｂ）
【図１４】本発明、スピニングリールの釣竿握手部分の斜向図
【図１５】本発明、スピニングリールの電動モーター使用時の釣竿握手部分の斜向図
【図１６】本発明、スピニングリールのアームローラ上下移動使用時の釣竿握手部分の斜向図
【図１７】本発明、スピニングリールの電動モーター駆動用制御コードの断面図
【図１８】本発明、スピニングリールの電動モーター駆動用制御ＢＯＸの斜向図
【発明を実施するための形態】
【０００９】  色々な釣竿に脱着可能なスピニングリールの釣糸の巻き取りが出来る様、電動モーターを内蔵した制御ＢＯＸを外部に置き、スピニングリールとの接続には制御コードを使用し、釣糸の巻き取りがハンドル単独使用及び電動モーター単独使用又はハンドルと電動モーターを併用使用出来る様に、又釣竿を持っている側の手の指でいつでもアームローラに掛っている釣糸を引っ掛ける事が出来る様に、釣竿側でアームローラを上下移動とし、アームの反転についてはアーム反転レバーを取扱うか、又反対側の手の指で今迄どおりに反転さす事も可能とした、又釣糸の巻き取りは、釣糸の放出後アームを手の指で反転させ、ハンドルを回転さす事によりスプールが回転し釣糸の巻き取りが出来る事とした、又電動モーターを併用使用すれば片手の不自由な人でも使用出来、又、電動モーターをスピニングリールと一体化せず別な所へ制御ＢＯＸを置く事により、スピニングリールの軽量化が計れ、又複数のスピニングリールに制御ＢＯＸが１つあれば使用できるので、安価に出来る。
【００１０】  以下、本発明の実施の形態を図１〜図１８に基づいて説明する。
【００１１】  図１は同リール取付け斜向図で、片手だけでも使用出来るようにアーム１３と一体化してあるアームローラ１４が釣竿１側で上下移動する様に、本体枠５にはアーム反転レバー３６を取り付ける又釣糸１５の巻き取りも外部に置いてある電動モーターで制御コード８の中にある回転リード線２２、もしくはハンドル６で釣糸を巻き取る事が出来る。
【００１２】  図２は同リール電動モーター使用の取付け斜向図で、左手で釣竿１を持つ仕様で、右手でハンドル６を使用する事が出来るとともに、左手の指で第１スイッチ３を押入後、第２スイッチ４を押さえると電動モーターのスイッチが入る事で、釣糸１５の巻き取りがハンドル６と併用使用出来る。
【００１３】  図３は同リールアームローラ１４が上下移動する使用の取付斜向図で、釣竿１を持っている手の指で何時でも釣糸１５を又アーム反転レバー３６を操作する事が出来釣糸１５の巻き取りもハンドル６によって出来る。
【００１４】  図４は釣竿１から見た同リールの上側を見た図でハンドル６及び、制御コード８の取付位置を示し、右手で釣竿１を持つ場合はハンドル６と制御コード８の取付位置が逆となる。
【００１５】  図５は釣竿１から見た同リールの上側を見た電動モーター使用図で制御コード８に取り付けてある制御コード取付コネクター９は本体側制御コードコネクター受１０に回転して取り付ける。
【００１６】  図６は釣竿１から見た同リールの上側を見た図でハンドル６の回転で上下移動枠２８が上下移動し、アーム１３、アームローラ１４も上下移動をする。
【００１７】  図７は同リールのハンドル６部分での断面図で同リールを作動さすのに本体軸１６と一体化している傘歯車４４が基本となっており、ハンドル６を回すと第１ワンウェイクラッチ２０が作動し本体軸１６が回転し、又電動モーターの制御コード８を使用する場合は図１の第１スイッチ３、第２スイッチ４が構成後、電源端子２６、そして電線（２芯）３７を電流が通りモーター回路が構成し回転リード線２２が回転し電動第２回転軸２５が回転、そして電動第１回転軸２３が回転し第２ワンウェイクラッチ２１が回転し本体軸１６が回転する、ハンドル６又は、電動モーターだけの単独使用も出来るが併用使用も出来る、又、右側の図は同リールの右側の側面図で位置を示す。又ハンドル６の取付けは、ハンドル軸取付けボルト１９で固定し、電動第２回転軸２５の取付けは電動第１回転軸２３に押入後、制御コード取付コネクター９を回転して本体側制御コードコネクター受１０に押入し固定する、又内部配線４３については本体左右の電源端子２６は並列回路とし図１の第１スイッチ３、第２スイッチ４は直列回路とする。
【００１８】  図８はハンドル６等を回転した場合にスプール１２は反時計回り回転し、アームローラ１４がスプール１２の下側に位置している時である。
【００１９】  図９は図８の動作の続きでハンドル６等を回転する事により上下移動軸３０を支点に上下移動棒２９が上側に動き、上下移動枠２８が上側に動きアーム１３が上側に移動し、図６のアームローラ１４に導かれて釣糸１５はスプール１２に巻き取る事が出来る。
【００２０】  図１０は上下移動枠２８の構造で上下移動棒２９の上下の移動によって上下移動枠２８、アーム１３、アームローラ１４が図７、図８の上下移動軸３０を支点に縦移動を行う。
【００２１】  図１１本体枠５に取り付けたスプール軸３１は、ハンドル６等の回転により傘歯車４４でクロスギヤ３２が回転し、ドラッグつまみ１１によりドラッグ調整をしスプール１２が反時計回りに回転する。
【００２２】  図１２は図１０・Ａから見たアーム受けの内部構造で図１のアーム反転レバー３６を取扱う事で、アーム反転リード線３５が下側に引かれ回転カム３４が回転しアーム１３を反転する、又アーム１３は指で直接反転する事も出来る。
【００２３】  図１３は図１０・Ｂから見たアーム受けの内部構造でアーム反転リード線３５が上下移動枠２８の上下移動に支障されない様、上下移動軸３０のセンターに位置する。
【００２４】  図１４は釣竿１に同リールの取付でリール本体枠５には、アーム反転レバー３６を取付、釣竿１には第１スイッチ３、第２スイッチ４を電線で回路を作ったものをマジックテープ２で取り付ける。
【００２５】  図１５は電動モーター使用時で第１スイッチ３を押入後第２スイッチ４を押したときのみ電動モーターが動作する方法とする。
【００２６】  図１６はアームローラ１４の上下移動用で釣糸１５の放出時釣竿１を持っている手の指で釣糸１５を持ちアーム反転レバー３６を取り扱う事により、アーム反転リード線３５を引きアームを反転さす事が出来、釣糸１５を放出する事が出来る。
【００２７】  図１７は制御コード８で電線（２芯）３７によって電気回路が構成し電動モーターが回転し、回転リード線２２が回転する事により同リールの巻き上げを開始する。
【００２８】  図１８の制御ＢＯＸ３９には電池、電動モーターを組み込み制御コード８、転極スイッチ３８、スピード切替ダイヤル４０、他の電源が使用できる電源コード４２等を取り付ける、転極スイッチ３８の使用は制御コード８を同リールの右側使用、左側使用によって切換える。
【産業上の利用可能性】
【００２９】  １．同リールはどんな釣竿にも使用可能である。
２．同リールは遠投用投げ釣り用にも使用出来、ハンドル使用だけ使用し釣糸を巻き取      るのに疲れる人達、特に腕力の無い人達にも電動モーター併用使用出来れば楽に釣      糸を巻き取る事が出来る、又、従来のスピニングリールに電動モーター機能だけを      付加する事も出来る。
３．同リールは釣竿を持っている側の手の指でいつでも釣糸を引っ掛ける事が出来るの      でこのアームとスプールの上下移動改良だけでも使用できる。
４．アームの反転は釣竿を持っていない方の手の指で反転さすか、釣竿を持っている手      の指でアーム反転レバーを引きアームを反転さす事が出来る。
５．今迄は釣糸の巻き上げ時アームが回転していて、釣竿を後にあおった時ストッパー      が外れてアームが反対方向に回転して手に当たり危険だったが、スプールを回転さ      すことで危険が取り除けた。
６．同リールは投げ釣りで数本の釣竿にセットして使用する時は釣糸の巻き取り時のみ      同リールに制御コードを取り付ければ良いので制御ＢＯＸを外部に１つ置けば済む      ので安価となる。
７．同リールは電動モーター自体を本体リールに組み込まないので軽量となる。
８．同リールはハンドル、電動モーターの併用使用と、スプールの回転・アームローラ      上下移動等での組合せで片手の不自由な人達にも魚釣りが出来る。
【符号の説明】
【００３０】  １  釣竿
２  マジックテープ
３  第１スイッチ
４  第２スイッチ
５  本体枠
６  ハンドル
７  電動端子カバー
８  制御コード
９  制御コード取付コネクター
１０  本体側制御コードコネクター受
１１  ドラックつまみ
１２  スプール
１３  アーム
１４  アームローラ
１５  釣糸
１６  本体軸
１７  本体軸取付ナット
１８  ハンドル軸
１９  ハンドル軸取付ボルト
２０  第１ワンウェイクラッチ
２１  第２ワンウェイクラッチ
２２  回転リード線
２３  電動第１回転軸
２４  電動回転軸取付ナット
２５  電動第２回転軸
２６  電源端子
２７  アーム受
２８  上下移動枠
２９  上下移動棒
３０  上下移動軸
３１  スプール軸
３２  クロスギヤ
３３  ストッパーギヤ
３４  回転カム
３５  アーム反転リード線
３６  アーム反転レバー
３７  電線（２芯）
３８  転極スイッチ
３９  制御ＢＯＸ
４０  スピード切替ダイヤル
４１  アーム枠
４２  電源コード線
４３  内部配線
４４  傘歯車
【図１】
0005672506.tif 000002
【図２】
0005672506.tif 000003
【図３】
0005672506.tif 000004
【図４】
0005672506.tif 000005
【図５】
0005672506.tif 000006
【図６】
0005672506.tif 000007
【図７】
0005672506.tif 000008
【図８】
0005672506.tif 000009
【図９】
0005672506.tif 000010
【図１０】
0005672506.tif 000011
【図１１】
0005672506.tif 000012
【図１２】
0005672506.tif 000013
【図１３】
0005672506.tif 000014
【図１４】
0005672506.tif 000015
【図１５】
0005672506.tif 000016
【図１６】
0005672506.tif 000017
【図１７】
0005672506.tif 000018
【図１８】
0005672506.tif 000019